(57)【要約】  【課題】  インターネットに接続する手段を備えないクライアントが、間接的にデータベースから属性情報を取得することができる属性情報管理システムを提供すること。  【解決手段】  音声または映像のコンテンツを記憶する音楽データ蓄積手段５と、コンテンツを特定する特徴情報を含む照会情報を記憶する属性未取得ＣＤ情報蓄積手段７と、サーバ２と通信する通信手段１１と、照会情報をサーバ２に送信し、サーバ２から受信した属性情報を取得する属性情報管理手段８とを有するサーバ１と、サーバ１と通信する通信手段１５と、サーバ１から受信した照会情報を記憶する照会情報蓄積手段１８と、インターネット回線を介して属性情報を記憶する外部音楽属性データベース２０に照会情報を用いて照会を行い、属性情報を取得する外部音楽属性データベース照会手段１７と、取得した属性情報をサーバ１へ送信する属性情報管理手段１６とを有するサーバ２とを備える。【選択図】  図１
2006134495.tif 000002
【特許請求の範囲】
【請求項１】
音声または映像のコンテンツを記憶するデータ蓄積手段と、
前記コンテンツを特定する特徴情報を含み、前記コンテンツの属性情報を第２のサーバ装置から取得するための照会情報を記憶する属性未取得情報蓄積手段と、
第１の通信路を介して前記第２のサーバ装置と通信する第１の通信手段と、
前記第１の通信手段により前記照会情報を前記第２のサーバ装置に送信し、前記第２のサーバ装置から受信した属性情報を取得する第１の属性情報管理手段とを有する第１のサーバ装置と、
前記第１の通信路を介して前記第１のサーバ装置と通信する第２の通信手段と、
前記第２の通信手段により前記第１のサーバ装置から受信した照会情報を記憶する照会情報蓄積手段と、
インターネット回線からなる第２の通信路を介して、属性情報を記憶する外部属性データベースに前記照会情報を用いて照会を行い、属性情報を取得する外部属性データベース照会手段と、
前記外部属性データベース照会手段が取得した属性情報を前記第２の通信手段により前記第１のサーバ装置へ送信する第２の属性情報管理手段とを有する第２のサーバ装置とを備えたことを特徴とする属性情報管理システム。
【請求項２】
前記第１のサーバ装置は、予め属性情報を記憶するとともに、前記第２のサーバ装置から取得した属性情報を記憶する第１の属性情報データベースを有し、
前記第１の属性情報管理手段は、前記第１の属性情報データベースが記憶していない属性情報のみを前記第２のサーバ装置に照会することを特徴とする請求項１に記載の属性情報管理システム。
【請求項３】
前記第２のサーバ装置は、予め属性情報を記憶するとともに、前記外部属性データベースから取得した属性情報を記憶する第２の属性情報データベースを有し、
前記第２の属性情報管理手段は、前記第２の属性情報データベースが記憶していない属性情報のみを前記外部属性データベースに照会することを特徴とする請求項２に記載の属性情報管理システム。
【請求項４】
前記第１のサーバ装置は、第１の著作権保護手段を有するとともに、前記第２のサーバ装置は、第２の著作権保護手段を有し、
前記第１の著作権保護手段および前記第２の著作権保護手段は、前記第２のサーバ装置が送信する属性情報が前記第１のサーバ装置でのみ用いることができるようにすることを特徴とする請求項１乃至請求項３の何れかに記載の属性情報管理システム。
【請求項５】
前記第１のサーバ装置は、前記第１の通信手段が前記第２の通信手段と接続したことを検出する第１の接続検出手段を備え、
前記第１の属性情報管理手段は、前記第１の接続検出手段が接続を検出すると、前記属性未取得情報蓄積手段から照会情報を取得し、前記第２のサーバ装置へ送信することを特徴とする請求項１乃至請求項４の何れかに記載の属性情報管理システム。
【請求項６】
前記第２のサーバ装置は、前記第３の通信手段が前記第１のサーバ装置の前記第１の通信手段との接続が確立されたことを検出する第２の接続検出手段とを備え、
前記第２の属性情報管理手段は、前記第２の接続検出手段が接続を検出すると、前記第２の属性情報データベースから属性情報を取得し、前記第１のサーバ装置へ送信することを特徴とする請求項１乃至請求項５の何れかに記載の属性情報管理システム。
【請求項７】
前記属性未取得情報蓄積手段は、前記データ蓄積手段における前記コンテンツの保存先を示す関連付け情報を記憶し、
前記第１の属性情報管理手段は、前記コンテンツの削除または保存先の変更に伴い、前記関連付け情報を更新することを特徴とする請求項１乃至請求項６の何れかに記載の属性情報管理システム。
【発明の詳細な説明】
【技術分野】
【０００１】
本発明は、音声または映像等のコンテンツの属性情報を取得して管理する属性情報管理システムに関する。
【背景技術】
【０００２】
従来、この種の属性情報管理システムでは、音楽ＣＤ（Ｃｏｍｐａｃｔ  Ｄｉｓｃ）等の記録媒体に記録されたＴＯＣ（Ｔａｂｌｅ  Ｏｆ  Ｃｏｎｔｅｎｔｓ）情報を検索キーとして使用して、記録媒体に記録されていないアーティスト名、ＣＤタイトルおよびトラックタイトル等の属性情報をインターネット上のデータベースから取得する属性情報管理システムが知られている（例えば、特許文献１参照。）。
【０００３】
このような従来の属性情報管理システムでは、図９に示すように、クライアント５４と、インターネット上のデータベース５１とから構成され、クライアント５４は、ＣＤドライブ５６に挿入された音楽ＣＤのＴＯＣ情報を検索キーとして使用して、音楽ＣＤに記録された楽曲の属性情報をデータベース５１に照会する。一方、データベース５１は、照会に使用されたＴＯＣ情報と同じＴＯＣ情報をＴＯＣ情報データベース５７から探し、更にこのＴＯＣ情報と対応付けられた属性情報を属性情報データベース５２に記憶されている複数の属性情報の中から取得してクライアント５４に送信する。そして、クライアント５４は、データベース５１から取得した属性情報を属性情報データベース５５に蓄積する。
【特許文献１】特開２００２−４１５２７号公報（第１図）
【発明の開示】
【発明が解決しようとする課題】
【０００４】
しかしながら、従来の属性情報管理システムにおいては、データベースから属性情報を取得するためには、インターネットに接続する手段を備えている必要があるので、インターネットに接続する手段を備えていないクライアントは、データベースから属性情報を取得することができないという問題があった。
【０００５】
本発明は、このような問題を解決するためになされたもので、インターネットに接続する手段を備えないクライアントが、間接的にデータベースから属性情報を取得することができる属性情報管理システムを提供することを目的とする。
【課題を解決するための手段】
【０００６】
本発明の属性情報管理システムは、音声または映像のコンテンツを記憶するデータ蓄積手段と、前記コンテンツを特定する特徴情報を含み、前記コンテンツの属性情報を第２のサーバ装置から取得するための照会情報を記憶する属性未取得情報蓄積手段と、第１の通信路を介して前記第２のサーバ装置と通信する第１の通信手段と、前記第１の通信手段により前記照会情報を前記第２のサーバ装置に送信し、前記第２のサーバ装置から受信した属性情報を取得する第１の属性情報管理手段とを有する第１のサーバ装置と、前記第１の通信路を介して前記第１のサーバ装置と通信する第２の通信手段と、前記第２の通信手段により前記第１のサーバ装置から受信した照会情報を記憶する照会情報蓄積手段と、インターネット回線からなる第２の通信路を介して、属性情報を記憶する外部属性データベースに前記照会情報を用いて照会を行い、属性情報を取得する外部属性データベース照会手段と、前記外部属性データベース照会手段が取得した属性情報を前記第２の通信手段により前記第１のサーバ装置へ送信する第２の属性情報管理手段とを有する第２のサーバ装置とを備えるよう構成している。
【０００７】
この構成により、外部属性データベースに接続することのできない第１のサーバ装置が、間接的に外部属性データベースから属性情報を取得することができる。
【０００８】
また、本発明の属性情報管理システムは、前記第１のサーバ装置は、予め属性情報を記憶するとともに、前記第２のサーバ装置から取得した属性情報を記憶する第１の属性情報データベースを有し、前記第１の属性情報管理手段は、前記第１の属性情報データベースが記憶していない属性情報のみを前記第２のサーバ装置に照会するよう構成している。
【０００９】
この構成により、第１のサーバ装置から第２のサーバ装置への不要なアクセスを防ぐことができる。
【００１０】
また、本発明の属性情報管理システムは、前記第２のサーバ装置は、予め属性情報を記憶するとともに、前記外部属性データベースから取得した属性情報を記憶する第２の属性情報データベースを有し、前記第２の属性情報管理手段は、前記第２の属性情報データベースが記憶していない属性情報のみを前記外部属性データベースに照会するよう構成している。
【００１１】
この構成により、第２のサーバから外部属性データベースへの不要なアクセスを防ぎ、インターネット接続費用を削減することができる。
【００１２】
また、本発明の属性情報管理システムは、前記第１のサーバ装置は、第１の著作権保護手段を有するとともに、前記第２のサーバ装置は、第２の著作権保護手段を有し、前記第１の著作権保護手段および前記第２の著作権保護手段は、前記第２のサーバ装置が送信する属性情報が前記第１のサーバ装置でのみ用いることができるよう構成している。
【００１３】
この構成により、第２のサーバ装置から第１のサーバ装置に送信される属性情報の著作権を保護することができる。
【００１４】
また、本発明の属性情報管理システムは、前記第１のサーバ装置は、前記第１の通信手段が前記第２の通信手段と接続したことを検出する第１の接続検出手段を備え、前記第１の属性情報管理手段は、前記第１の接続検出手段が接続を検出すると、前記属性未取得情報蓄積手段から照会情報を取得し、前記第２のサーバ装置へ送信するよう構成している。
【００１５】
この構成により、第１のサーバ装置と第２のサーバ装置とを接続する第１の通信路の通信が不安定で接続が途絶した場合でも、再び接続を検出すると自動的に第１のサーバ装置から第２のサーバ装置への照会情報の送信を再開することができる。
【００１６】
また、本発明の属性情報管理システムは、前記第２のサーバ装置は、前記第３の通信手段が前記第１のサーバ装置の前記第１の通信手段との接続が確立されたことを検出する第２の接続検出手段とを備え、前記第２の属性情報管理手段は、前記第２の接続検出手段が接続を検出すると、前記第２の属性情報データベースから属性情報を取得し、前記第１のサーバ装置へ送信するよう構成している。
【００１７】
この構成により、第１のサーバ装置と第２のサーバ装置とを接続する第１の通信路の通信が不安定で接続が途絶した場合でも、再び接続を検出すると自動的に第２のサーバ装置から第１のサーバ装置への属性情報の送信を再開することができる。
【００１８】
また、本発明の属性情報管理システムは、前記属性未取得情報蓄積手段は、前記データ蓄積手段における前記コンテンツの保存先を示す関連付け情報を記憶し、前記第１の属性情報管理手段は、前記コンテンツの削除または保存先の変更に伴い、前記関連付け情報を更新するよう構成している。
【００１９】
この構成により、コンテンツの削除や移動後にも、適切に属性情報をコンテンツに付加することができる。
【発明の効果】
【００２０】
本発明によれば、インターネットに接続する手段を備えないクライアントが、間接的にデータベースから属性情報を取得することができる属性情報管理システムを提供することができる。
【発明を実施するための最良の形態】
【００２１】
以下、本発明の実施の形態について図面を用いて説明する。図１乃至図８は本発明に係る属性情報管理システムの実施の形態を示す図である。
【００２２】
まず、構成を説明する。図１は、本発明の属性情報管理システムの構成を示すブロック図である。図１において、属性情報管理システム３０は、第１の通信路３１で互いに接続されたサーバ１とサーバ２とを備えている。なお、サーバ１はサーバ２に対してクライアントの関係にある。また、サーバ１は車両等の移動体に搭載されてインターネットに接続する手段を持たない車載サーバとしての構成を有し、サーバ２は設置場所が固定されるとともにインターネットに接続する手段を持つホームサーバとしての構成を有している。
【００２３】
まず、サーバ１について説明する。サーバ１は、ＣＤドライブ３と、楽曲管理手段４と、属性情報管理手段８と、音楽データ蓄積手段５と、ローカル音楽属性データベース６と、属性未取得ＣＤ情報蓄積手段７と、通信手段１１と、著作権保護手段１０と、入出力手段１２とを備えている。
【００２４】
ＣＤドライブ３は、音楽ＣＤから音声コンテンツとしての音楽データおよび音楽ＣＤの特徴情報を読取るものである。
【００２５】
楽曲管理手段４は、ＣＤドライブ３が読取った音楽ＣＤの音楽データを圧縮してＭＰ３（ＭＰＥＧ−１  Ａｕｄｉｏ  Ｌａｙｅｒ−３の略）データに変換する。また、楽曲管理手段４は、ＭＰ３データを音楽データ蓄積手段５に保存したり、音楽データ蓄積手段５に保存したＭＰ３データを入出力手段１２に送信する。
【００２６】
属性情報管理手段８は、音楽ＣＤに記録された特徴情報を用いて、ローカル音楽属性データベース６に記憶された複数の属性情報の中から、ＣＤドライブ３が読取った音楽ＣＤに対応する属性情報を取得するようになっている。また、属性情報管理手段８は、属性情報を取得できなかった音楽ＣＤに関して後述する属性未取得ＣＤ情報を作成し、属性未取得ＣＤ情報蓄積手段７に保存するようになっている。特徴情報とは、音楽ＣＤを特定するための情報であり、本実施の形態では、音楽ＣＤの内周側のリードイン領域に書き込まれたＴＯＣ情報を特徴情報として用いる。
【００２７】
なお、ＴＯＣに代わってＩＳＲＣ（ＩＮＴＥＲＮＡＴＩＯＮＡＬ  ＳＴＡＮＤＡＲＤ  ＣＯＤＥ）、音楽ＣＤに記録された楽曲のメロディー、またはメロディーに埋め込まれたウォーターマークを特徴情報として用いて音楽ＣＤを特定するように構成してもよい。
【００２８】
音楽データ蓄積手段５は、ＣＤドライブ３により読取られた音楽データから楽曲管理手段４によりデータ圧縮されてできたＭＰ３データを記憶する。
【００２９】
本実施の形態では、音楽データ蓄積手段５、ローカル音楽属性データベース６および属性未取得ＣＤ情報蓄積手段７は、ハードディスク２１上に設けられている。なお、ハードディスク２１に代わって半導体メモリ等の他の記憶媒体を用いてもよい。
【００３０】
ローカル音楽属性データベース６は、複数の音楽ＣＤの属性情報を記憶している。ここで、属性情報とは、音楽ＣＤのアルバムタイトル、トラックタイトル、アルバムアーティスト、レコードレーベル、ジャンル等の情報のことである。本実施の形態では、属性情報は、音楽ＣＤの特徴情報と対応付けられている。属性情報と音楽ＣＤの特徴情報とを対応付ける技術としては、ＧＲＡＣＥＮＯＴＥ社のＣＤＤＢシステムを用いることができる。
【００３１】
属性未取得ＣＤ情報蓄積手段７は、属性情報管理手段８により作成される後述する属性未取得ＣＤ情報を記憶する。属性未取得ＣＤ情報は、属性情報管理手段８がローカル音楽属性データベース６から属性情報を取得できなかった音楽ＣＤの特徴情報およびこの音楽ＣＤの音楽データを圧縮して得たＭＰ３データの音楽データ蓄積手段５内の保存先を含む情報から成る。
【００３２】
通信手段１１は、サーバ１とサーバ２とを接続する第１の通信路３１を介して、サーバ２が備える通信手段１５との間で無線通信を行う。具体的には、通信手段１１は、通信手段１５に照会情報を送信し、通信手段１１から属性情報を受信するようになっている。また、通信手段１１は、通信手段１１と通信手段１５との間で接続が確立したことを検出する接続検出手段９を有している。
【００３３】
接続検出手段９は、通信手段１１と通信手段１５との間の通信の開始に際して接続の確立を検出するとともに、通信環境の悪化等によって接続が途絶した場合に、接続が再び確立したことを検出し、通信手段１１に通信の再開を行わせるようになっている。本実施の形態では、第１の通信路３１としてＩＥＥＥ８０２．１１規格の無線ＬＡＮを用いる。なお、第１の通信路３１は、無線ＬＡＮ以外の規格の無線方式であってもよい。
【００３４】
著作権保護手段１０は、通信手段１１と通信手段１５との間で送受信される情報の盗用を防止、すなわち、サーバ２が送信する情報がサーバ１でのみ用いることができるようにすることによって、送受信される情報の著作権を保護するものである。具体的には、予めサーバ１のシリアル番号をサーバ２の著作権保護手段１３に登録しておいて、著作権保護手段１３は、このシリアル番号を公開鍵に用いて通信手段１５から通信手段１１に送信される情報を暗号化し、著作権保護手段１０は、サーバ１のシリアル番号から生成した秘密鍵を用いて通信手段１５から通信手段１１が受信した情報の暗号化を解除する。
【００３５】
入出力手段１２は、音楽データ蓄積手段５に記憶されたＭＰ３データを図示しない再生装置に出力したり、ＣＤドライブ３に代わって図示しない外部装置から音楽データを入力するためのインターフェースであり、外部入出力端子等を有している。また、入出力手段１２は、サーバ１がＭＰ３データの出力動作をするための制御信号を再生装置から受信するようになっている。
【００３６】
次に、サーバ２について説明する。サーバ２は、通信手段１５と、属性情報管理手段１６と、照会情報蓄積手段１８と、ローカル音楽属性データベース１９と、属性情報蓄積手段２３と、著作権保護手段１３と、外部音楽属性データベース照会手段１７とを備える。
【００３７】
通信手段１５は、サーバ２とサーバ１とを接続する第１の通信路３１を介して、サーバ１が備える通信手段１１との間で通信を行う。具体的には、通信手段１５は、通信手段１１から照会情報を受信し、通信手段１１に属性情報を送信するようになっている。また、通信手段１５は、通信手段１５と通信手段１１との間で接続が確立したことを検出する接続検出手段１４を有している。接続検出手段１４は、通信手段１５と通信手段１１との間の通信の開始に際して接続の確立を検出するとともに、通信環境の悪化等によって接続が途絶した場合に、接続が再び確立したことを検出し、通信手段１５に通信の再開を行わせるようになっている。
【００３８】
著作権保護手段１３は、著作権保護手段１０と同様に、通信手段１１と通信手段１５との間で送受信される情報の著作権を保護するものである。
【００３９】
属性情報管理手段１６は、通信手段１５が受信した照会情報に含まれる特徴情報を用いて、ローカル音楽属性データベース１９に記憶された複数の属性情報の中から、通信手段１５がサーバ１から受信した照会情報に対応する属性情報を取得し、属性情報蓄積手段２３に保存するものである。
【００４０】
ローカル音楽属性データベース１９は、ローカル音楽属性データベース６と同様に、複数の音楽ＣＤの属性情報を記憶する。また、ローカル音楽属性データベース１９は、属性情報管理手段１６がローカル音楽属性データベース１９から取得した属性情報を記憶するものである。
【００４１】
属性情報蓄積手段２３は、属性情報管理手段１６がローカル音楽属性データベース１９から取得した属性情報を記憶するものである。
【００４２】
照会情報蓄積手段１８は、通信手段１５が受信した照会情報を記憶するものである。
【００４３】
外部音楽属性データベース照会手段１７は、第２の通信路３２を介して外部音楽属性データベース２０に接続し、照会情報を外部音楽属性データベース２０に照会して、この照会情報に含まれる特徴情報に対応する属性情報を取得するようになっている。本実施の形態では、第２の通信路３２としてインターネット回線を用いる。なお、外部音楽属性データベース２０は、ローカル音楽属性データベース６およびローカル音楽属性データベース１９と同様に複数の音楽ＣＤの属性情報を記憶するものであるが、ローカル音楽属性データベース６およびローカル音楽属性データベース１９より多くの属性情報を記憶しているものとする。また、ローカル音楽属性データベース１９はローカル音楽属性データベース６より多くの属性情報を記憶しているものとする。
【００４４】
本実施の形態では、照会情報蓄積手段１８、ローカル音楽属性データベース１９および属性情報蓄積手段２３は、ハードディスク２２上に設けられている。なお、ハードディスク２２に代わって半導体メモリ等の他の記憶媒体を用いてもよい。
【００４５】
図２は、属性未取得ＣＤ情報蓄積手段７が記憶する属性未取得ＣＤ情報の内容を示す。属性未取得ＣＤ情報は、ローカル音楽属性データベース６から属性情報を取得できなかった音楽ＣＤおよびこの音楽ＣＤの音楽データを圧縮して得たＭＰ３データに関する情報を含むものである。図に示すように、属性未取得ＣＤ情報は、照会情報と、関連付け情報と、送信済みフラグとを含んでいる。照会情報は、更にＩＤと、特徴情報と、照会情報データ長とを含んでいる。ＩＤは、ローカル音楽属性データベース６から属性情報を取得できなかった音楽ＣＤに対して１枚毎に設けられる識別番号である。特徴情報は、音楽ＣＤを特定するためのものであり、本実施の形態では、音楽ＣＤの内周側のリードイン領域に書き込まれたＴＯＣ情報を特徴情報として用いる。照会情報データ長は、照会情報のデータの長さを示すものである。
【００４６】
関連付け情報は、音楽ＣＤが含む各音楽データを圧縮して得たＭＰ３データの、音楽データ蓄積手段５内における保存先、すなわちファイルパスを示す情報である。なお、音楽データ蓄積手段５のＭＰ３データが削除または保存先が変更された場合は、属性情報管理手段８は、削除または保存先が変更されたＭＰ３データに対応する関連付け情報を更新する。
【００４７】
送信済みフラグは、属性情報を取得するために照会情報をサーバ２に送信したか否かを識別するための情報である。属性情報管理手段８は、照会情報をサーバ２に送信した場合は送信済みフラグを１に、送信していない場合は０に設定する。
【００４８】
また、全データ長は、照会情報、関連付け情報および送信済みフラグを含む属性未取得ＣＤ情報の全体のデータの長さを示すものである。
【００４９】
図３は、属性情報蓄積手段２３が記憶する属性情報の内容を示す。図に示すように、属性情報蓄積手段２３は、複数の属性情報と、各属性情報のＩＤおよびデータ長を関連情報として記憶する。また、属性情報蓄積手段２３は、記憶する全ての属性情報および関連情報のデータの長さを示す全データ長を記憶する。
【００５０】
次に、以上のように構成された属性情報管理システム３０について、図４〜図８に示すフロー図を参照して動作を説明する。
【００５１】
まず、図４に示すように、ＣＤドライブ３は、ＣＤドライブ３に装填された音楽ＣＤから特徴情報を読み出す（ステップＳ１１）。
【００５２】
次いで、属性情報管理手段８は、音楽ＣＤから読み出した特徴情報をローカル音楽属性データベース６に照会し、ローカル音楽属性データベース６から当該音楽ＣＤの属性情報の取得を試みる（ステップＳ１２）。
【００５３】
次いで、属性情報管理手段８は、ステップＳ１２において属性情報を取得できたか否かを判断する（ステップＳ１３）。
【００５４】
ステップＳ１３において属性情報を取得できたと判断した場合は、楽曲管理手段４は、音楽ＣＤから読取った音楽データを圧縮してＭＰ３データを作成し（ステップＳ１４）、属性情報管理手段８は、ＭＰ３データのＩＤ３タグ情報に属性情報の内容を追加する（ステップＳ１６）。
【００５５】
一方、ステップＳ１３において属性情報を取得できなかったと判断した場合は、楽曲管理手段４は、音楽ＣＤから読取った音楽データを圧縮してＭＰ３データを作成し（ステップＳ１５）、属性情報管理手段８は、属性情報を取得できなかった音楽ＣＤに関して属性未取得ＣＤ情報を作成し、属性未取得ＣＤ情報蓄積手段７に保存する（ステップＳ１７）。
【００５６】
次いで、楽曲管理手段４は、ステップＳ１４またはステップＳ１５で作成したＭＰ３データを音楽データ蓄積手段５に保存する。
【００５７】
次に、図５に示すように、通信手段１１は、属性未取得ＣＤ情報蓄積手段７から、送信済みフラグが０の属性未取得ＣＤ情報に含まれる照会情報を取得し、この照会情報をサーバ２に送信する（ステップＳ２１）。なお、通信手段１１は、サーバ２に送信すべき照会情報が複数存在する場合は、複数の照会情報を連続して一度にサーバ２に送信する。
【００５８】
次いで、属性情報管理手段８は、照会情報の送信を終えた属性未取得ＣＤ情報の送信済フラグを１にする（ステップＳ２２）。
【００５９】
一方、サーバ２の側では、通信手段１５は照会情報を受信し、属性情報管理手段１６は、この照会情報を照会情報蓄積手段１８に保存する（ステップＳ２３）。
【００６０】
次に、図６に示すように、属性情報管理手段１６は、照会情報が新たに保存されて照会情報蓄積手段１８の記憶内容が変化したことを検出したか否か、または、一定時間が経過したか否かを判断する（ステップＳ３１）。
【００６１】
属性情報管理手段１６は、ステップＳ３１において照会情報蓄積手段１８の内容の変化を検出したと判断した場合、または一定時間が経過したと判断した場合、照会情報蓄積手段１８から照会情報を取得する（ステップＳ３２）。
【００６２】
次いで、属性情報管理手段１６は、取得した照会情報をローカル音楽属性データベース１９に照会して、この照会情報に含まれる特徴情報に対応する属性情報の取得を試みる（ステップＳ３３）。
【００６３】
次いで、属性情報管理手段１６は、属性情報を取得できたか否かを判断する（ステップＳ３４）。
【００６４】
属性情報管理手段１６は、属性情報を取得できたと判断した場合、取得した属性情報を属性情報蓄積手段２３およびローカル音楽属性データベース１９に保存する（ステップＳ３７）。
【００６５】
次いで、属性情報管理手段１６は、取得した属性情報を照会する際に用いた照会情報を照会情報蓄積手段１８から削除する（ステップＳ３８）。
【００６６】
一方、ステップＳ３４において属性情報管理手段１６が属性情報を取得できなかったと判断した場合、外部音楽属性データベース照会手段１７は、第２の通信路３２を介して外部音楽属性データベース２０に接続し、照会情報を外部音楽属性データベース２０に照会して、この照会情報に含まれる特徴情報に対応する属性情報の取得を試みる（ステップＳ３５）。
【００６７】
次いで、属性情報管理手段１６は、属性情報を取得できたか否かを判断し（ステップＳ３６）、属性情報を取得できたと判断した場合は、前述したステップＳ３７の処理に移行し、取得した属性情報を属性情報蓄積手段２３に保存するとともに、取得した属性情報を照会する際に用いた照会情報を照会情報蓄積手段１８から削除する。
【００６８】
次に、図７に示すように、サーバ２側において、通信手段１５は、第１の通信路３１を介したサーバ１の通信手段１１との接続が確立したことを確認すると、属性情報蓄積手段２３に保存されている属性情報を通信手段１１に送信する（ステップＳ５１）。上記の接続の確立は、通信手段１５の接続検出手段１４および通信手段１１の接続検出手段９の双方が接続を検出することにより行われる。なお、送信が完了した属性情報は、属性情報管理手段１６によって属性情報蓄積手段２３から削除される。
【００６９】
次いで、サーバ１側において、通信手段１１は、通信手段１５から送信された属性情報を受信する（ステップＳ５２）。
【００７０】
なお、ステップＳ５１とステップＳ５２では、属性情報は、著作権保護手段１３と著作権保護手段１０により著作権が保護されるようになっている。すなわち、前述したように、予めサーバ１のシリアル番号を著作権保護手段１３に登録しておいて、著作権保護手段１３はこのシリアル番号を公開鍵に用いて属性情報を暗号化し、著作権保護手段１０は、サーバ１自らのシリアル番号から生成した秘密鍵を用いて受信した属性情報の暗号化を解除する。従って、サーバ１とサーバ２との間で送受信される属性情報の著作権が保護されるようになっている。
【００７１】
次に、図８に示すように、属性情報管理手段８は、属性未取得ＣＤ情報蓄積手段７に保存されている関連付け情報が含むファイルパスを参照して、通信手段１１が受信した属性情報に対応するＭＰ３データが音楽データ蓄積手段５の何れの場所に保存されているかを特定し、特定されたＭＰ３データのＩＤ３タグに属性情報を付加する（ステップＳ６１）。
【００７２】
次いで、属性情報管理手段８は、通信手段１１が受信した属性情報と、この属性情報をサーバ２から取得する際の照会に用いた照会情報とをペアにしてローカル音楽属性データベースに保存する（ステップＳ６２）。
【００７３】
次いで、属性情報管理手段１６は、属性情報をサーバ２から取得する際の照会に用いた照会情報および関連付け情報を属性未取得ＣＤ情報蓄積手段７から削除する（ステップＳ６３）。
【００７４】
以上のように、本発明の実施の形態の属性情報管理システム３０によれば、サーバ２が外部音楽属性データベース２０から取得した属性情報をサーバ１が受信するようにしたので、インターネットに接続する手段を備えないサーバ１が、インターネットに接続する手段を備えるサーバ２を介して、間接的に外部音楽属性データベース２０から属性情報を取得することができる。
【００７５】
また、本発明の実施の形態の属性情報管理システム３０によれば、サーバ１は、予め属性情報を記憶するとともに、サーバ２から取得した属性情報を記憶するローカル音楽属性データベース６を有し、属性情報管理手段８は、ローカル音楽属性データベース６が記憶していない属性情報のみをサーバ２に照会するようにしたので、サーバ１からサーバ２への不要なアクセスを防止することができる。
【００７６】
また、本発明の実施の形態の属性情報管理システム３０によれば、サーバ２は、予め属性情報を記憶するとともに、外部音楽属性データベース２０から取得した属性情報を記憶するローカル音楽属性データベース１９を有し、属性情報管理手段１６は、ローカル音楽属性データベース１９が記憶していない属性情報のみを外部音楽属性データベース２０に照会するようにしたので、サーバ２から外部音楽属性データベース２０への不要なアクセスを防止し、インターネット接続費用を削減することができる。また、インターネットが常時接続の場合は、インターネットのトラフィックを減少することができる。
【００７７】
また、本発明の実施の形態の属性情報管理システム３０によれば、著作権保護手段１３は、予め登録されたサーバ１のシリアル番号を公開鍵に用いて属性情報を暗号化し、著作権保護手段１０は、サーバ１自らのシリアル番号から生成した秘密鍵を用いて受信した属性情報の暗号化を解除するので、サーバ２からサーバ１に送信される属性情報の著作権を保護することができる。
【００７８】
また、本発明の実施の形態の属性情報管理システム３０によれば、属性情報管理手段８は、接続検出手段９が通信手段１５との接続を検出すると、属性未取得ＣＤ情報蓄積手段７から照会情報を取得し、サーバ２へ送信するので、サーバ１とサーバ２とを接続する第１の通信路３１の通信が不安定で接続が途絶した場合でも、自動的にサーバ１からサーバ２への照会情報の送信を再開することができる。
【００７９】
また、本発明の実施の形態の属性情報管理システム３０によれば、属性情報管理手段１６は、接続検出手段１４が通信手段１１との接続を検出すると、属性情報蓄積手段２３から属性情報を取得し、サーバ１へ送信するので、サーバ１とサーバ２とを接続する第１の通信路３１の通信が不安定で接続が途絶した場合でも、自動的にサーバ２からサーバ１への属性情報の送信を再開することができる。
【００８０】
また、本発明の実施の形態の属性情報管理システム３０によれば、属性未取得ＣＤ情報蓄積手段７は、音楽データ蓄積手段５におけるＭＰ３データの保存先を示す関連付け情報を記憶し、属性情報管理手段８は、ＭＰ３データの削除または保存先の変更に伴い、関連付け情報を更新するので、保存先が変更されたＭＰ３データに対しても属性情報を付加することができる。
【００８１】
なお、本実施の形態では、ＣＤドライブ３が読取った音楽ＣＤの音楽データを、データ量の少ないＭＰ３データに変換して、このＭＰ３データに対して属性情報を付加するようにしているが、ＣＤドライブ３に代えて他の記憶媒体から音楽データを入力するようにしてもよい。また、ＭＰ３データに代えてＷＭＡ（Ｗｉｎｄｏｗｓ（登録商標）  Ｍｅｄｉａ  Ａｕｄｉｏ）形式等の他のデータ形式を用いても良い。
【００８２】
また、音楽ＣＤに記録された音楽データをコンテンツとして取り扱う他に、他の媒体から取得した映像データを取り扱うようにしてもよい。その場合、例えば、テレビ放送の放送チャンネルと放送日時を特徴情報として用いて、そのテレビ放送の番組名、出演者等の属性情報をＥＰＧ（Ｅｌｅｃｔｏｒｏｎｉｃ  Ｐｒｏｇｒａｍ  Ｇｕｉｄｅ）データベースから取得し、テレビ放送を録画した映像データにこの属性情報を付加することができる。
【００８３】
また、属性情報管理システム３０を、１つのサーバ２と複数のサーバ１から構成し、インターネットに接続する手段を有するサーバ２が、インターネットに接続する手段を有しない複数のサーバ１に代わって属性情報を外部音楽属性データベース２０から取得するようにすることもできる。その場合、１つのインターネット接続回線があれば複数のサーバ１の全てが属性情報を取得することができる。
【産業上の利用可能性】
【００８４】
以上のように、本発明は、インターネットに接続する手段を備えないクライアントが、間接的にデータベースから属性情報を取得することができるという効果を有し、音声または映像等のコンテンツの属性情報を取得して管理する属性情報管理システムとして有用である。
【図面の簡単な説明】
【００８５】
【図１】本発明の実施の形態における属性情報管理システムの構成を示すブロック図
【図２】本発明の実施の形態における属性情報管理システムの属性未取得ＣＤ情報蓄積手段７が記憶する属性未取得ＣＤ情報の内容を示す図
【図３】本発明の実施の形態における属性情報管理システムの属性情報蓄積手段２３が記憶する属性情報の内容を示す図
【図４】本発明の実施の形態における属性情報管理システムの動作を示すフロー図
【図５】本発明の実施の形態における属性情報管理システムの動作を示すフロー図
【図６】本発明の実施の形態における属性情報管理システムの動作を示すフロー図
【図７】本発明の実施の形態における属性情報管理システムの動作を示すフロー図
【図８】本発明の実施の形態における属性情報管理システムの動作を示すフロー図
【図９】従来の属性情報管理システムの構成を示すブロック図
【符号の説明】
【００８６】
１  サーバ（第１のサーバ装置）
２  サーバ（第２のサーバ装置）
３  ＣＤドライブ
４  楽曲管理手段
５  音楽データ蓄積手段（データ蓄積手段）
６  ローカル音楽属性データベース（第１の属性情報データベース）
７  属性未取得ＣＤ情報蓄積手段（属性未取得情報蓄積手段）
８  属性情報管理手段（第１の属性情報管理手段）
９  接続検出手段（第１の接続検出手段）
１０  著作権保護手段（第１の著作権保護手段）
１１  通信手段（第１の通信手段）
１２  入出力手段
１３  著作権保護手段（第２の著作権保護手段）
１４  接続検出手段（第２の接続検出手段）
１５  通信手段（第２の通信手段）
１６  属性情報管理手段（第２の属性情報管理手段）
１７  外部音楽属性データベース照会手段（外部属性データベース照会手段）
１８  照会情報蓄積手段
１９  ローカル音楽属性データベース（第２の属性情報データベース）
２０  外部音楽属性データベース（外部属性データベース）
２１、２２  ハードディスク
２３  属性情報蓄積手段
【図１】
2006134495.tif 000003
【図２】
2006134495.tif 000004
【図３】
2006134495.tif 000005
【図４】
2006134495.tif 000006
【図５】
2006134495.tif 000007
【図６】
2006134495.tif 000008
【図７】
2006134495.tif 000009
【図８】
2006134495.tif 000010
【図９】
2006134495.tif 000011